(57)【要約】【目的】  ユーザが高濃度の酸素を実感しやすく、高濃度酸素供給装置の操作も遠隔で行える技術を提供する技術を提供する。【構成】  高濃度酸素供給装置(20)は、閉塞空間(10)に設置した酸素濃度センサ(15)の計測データを用いて酸素の生成量を、遠隔でサーバが制御可能とする。  酸素吹き出し口(13)は、高濃度酸素供給装置(20)から閉塞空間(10)に高濃度の酸素を連通させるノズル(13a)と、  そのノズル(13a)の開閉具合を調整するノズル調整機構とを備える。  ノズル(13a)は、水槽(16)内に設けてもよい。  ノズル調整機構は、遠隔操作によって開閉具合が調整可能であるように形成してもよい。【選択図】    図４
2012095773.tif 000002
【特許請求の範囲】
【請求項１】
所定の閉塞空間を高濃度の酸素で満たした空間とするためのシステムであって、
空気中の窒素を分離することによって高濃度の酸素を生成する高濃度酸素供給装置と、
その高濃度酸素供給装置が生成した高濃度の酸素を前記の閉塞空間に供給する酸素吹き出し口と、
前記の閉塞空間における酸素濃度を計測する酸素濃度センサと、を備え、
前記の高濃度酸素供給装置は、前記の酸素濃度センサの計測データを用いて酸素の生成量を制御することとし、
前記の酸素吹き出し口は、前記の高濃度酸素供給装置から前記の閉塞空間に高濃度の酸素を連通させるノズルと、  そのノズルの開閉具合を調整するノズル調整機構とを備えた酸素濃度制御システム。
【請求項２】
前記の酸素吹き出し口は、前記の閉塞空間内に設置した水槽内に設置し、
その水槽内には、前記の酸素吹き出し口が満たされるように液体を入れた請求項１に記載の酸素濃度制御システム。
【請求項３】
前記のノズル調整機構は、遠隔操作によって開閉具合が調整可能であるように形成した酸素濃度制御システム。
【請求項４】
前記の高濃度酸素供給装置から物理的に離れた場所に設置されるサーバと、
そのサーバおよび前記の高濃度酸素供給装置にてデータの送受信が可能な通信インフラと、を備え、
前記のサーバには、前記の高濃度酸素供給装置の設備に関するデータを格納したクライアント設備データベースと、
前記の高濃度酸素供給装置から送信されてくるデータを受信する運転データ受信手段と、
受信したそのデータおよびクライアント設備データベースに格納されたデータを用いて当該高濃度酸素供給装置の運転が適正か否かを判断する運転適正判断手段と、を備え、
その運転適正判断手段が適正でないと判断した場合には、運転を修正するための運転修正データを当該高濃度酸素供給装置に送信することとした請求項１から請求項３のいずれかに記載の酸素濃度制御システム。
【請求項５】
前記の高濃度酸素供給装置は、閉塞空間に提供した高濃度酸素の積算流量および予め入力された酸素単価を用いて運転換算値を算出する換算値演算手段と、  その換算値演算手段が算出した運転換算値を出力表示する積算流量値表示手段と、を備えた請求項１から請求項４のいずれかに記載の酸素濃度制御システム。
【請求項６】
前記の閉塞空間を照明するための照明装置を備えるとともに、
その照明装置は、前記の高濃度酸素供給装置の運転と連動させることとした請求項１から請求項５のいずれかに記載の酸素濃度制御システム。
【発明の詳細な説明】
【技術分野】
【０００１】
本発明は、酸素の濃度を通常よりも高くした空間を提供するための装置およびそれを制御するための技術に関する。
【背景技術】
【０００２】
空気中の酸素濃度は約２１％であり窒素濃度は７８％であるが、窒素を分離することによって酸素濃度を高める、という技術は、古くから存在する。
【０００３】
また近年、スポーツや登山における疲労回復などのために、高濃度の酸素を吸引するための缶入り酸素が普及した。
更に、酸素濃度を高めたカプセルや部屋にて過ごすことによって、疲労回復のみならず、怪我の治癒早期化、精神的な休息、カロリー消費量の増大による体脂肪減少など効果を得ることができる個室を提供する技術も提供されている（例えば、特許文献１参照）。
【０００４】
特許文献１に記載された技術では、高濃度の酸素を提供するだけでなく、遠赤外線発生システムとの組み合わせによって、健康、美容、リラクゼーション効果を得られる、とされている。
【０００５】
また、特許文献２には、一時的に酸素不足に陥った、または怪我をしたスポーツ選手や肉体労働者の速やかな回復のために、高気圧下における酸素供給装置を実用的なものとするための技術が開示されている。
【０００６】
上記の技術などを用いて昨今、スポーツ後の疲労回復や、仕事による疲労回復などの効果を提供するため、スポーツジム、スパ、病院、オフィスビル、カプセルホテル、個人の住宅などに、高濃度の酸素空間（個室）が導入されつつある。
【０００７】
【特許文献１】登録実用新案３１７４７４号公報
【特許文献２】特許３７２００３２号公報
【発明の開示】
【発明が解決しようとする課題】
【０００８】
さて、囲まれた空間（個室など）が、高濃度の酸素となっていたとしても、その高濃度酸素の空間を利用するユーザにとって、即時の効果を実感することは難しかった。  酸素は無色無臭だからである。
前述した缶入り酸素では、芳香剤を混入させることによって、ユーザの嗅覚に訴える、という方法が一般的であるが、ユーザが滞在できるほどの容積である高濃度酸素の空間に対して芳香剤を用いても、ユーザは高濃度酸素の存在を実感しにくい。  芳香剤を部屋に設置している場合と大差がないためであろう。
【０００９】
また、缶入り酸素は、ユーザが吸い込む空気のみを供給するので、容量が少なくて済む。しかし、ユーザが滞在する程度の容積がある空間に対して高濃度の酸素を維持するためには、常時、高濃度の酸素を供給する必要がある。  ユーザが滞在する程度の容積がある空間を完全密閉することは困難であるし、ユーザがそこに滞在していれば酸素を消費もするからである。
したがって、ユーザが滞在する空間に対して高濃度の酸素を維持するためには、常時、高濃度の酸素を供給する設備、および所定の酸素濃度を維持するための計測や制御を実行するための設備が必要となる。
【００１０】
ユーザが滞在する空間の酸素濃度を高濃度で維持するため、その空間の酸素濃度や気温などのデータを頻繁に収集して、フィードバック制御をすることが考えられた。しかし、それだけでは運用が困難であり、現場での手動操作も時には必要である、ということが実験的に把握できてきた。
加えて、「ユーザが滞在する高濃度酸素の空間」をユーザに提供するサービスの運営主体は、スパ、フィットネスクラブ、カプセルホテルなどの経営者である、という場合が多い。  すなわち、所定の空間に対して酸素濃度を維持するための計測や制御を、時に手動で実行する、ということが可能である人材を確保することが困難である。
【００１１】
本発明が解決しようとする課題は、ユーザが高濃度の酸素を実感しやすく、高濃度酸素供給装置の操作も遠隔で行える技術を提供することにある。
【課題を解決するための手段】
【００１２】
（第一の発明）
第一の発明は、所定の閉塞空間（たとえば、高濃度酸素部屋10）を高濃度の酸素で満たした空間とするための酸素濃度制御システムに係る。
すなわち、空気中の窒素を分離することによって高濃度の酸素を生成する高濃度酸素供給装置(20)と、  その高濃度酸素供給装置(20)が生成した高濃度の酸素を前記の閉塞空間(10)に供給する酸素吹き出し口(13)と、  前記の閉塞空間(10)における酸素濃度を計測する酸素濃度センサ(15)と、を備える。
前記の高濃度酸素供給装置(20)は、前記の酸素濃度センサ(15)の計測データを用いて酸素の生成量を制御することとし、  前記の酸素吹き出し口(13)は、前記の高濃度酸素供給装置(20)から前記の閉塞空間(10)に高濃度の酸素を連通させるノズル(13a)と、  そのノズル(13a)の開閉具合を調整するノズル調整機構とを備える。
【００１３】
（用語説明）
「高濃度酸素供給装置(20)」としては、たとえば、ＰＳＡ(Pressure Swing Adsorption)方式を採用する。ＰＳＡ方式とは、空気中の窒素を吸着剤に吸着させ、酸素濃度を高めた空気とする方式である。  窒素を透過させにくいフィルタを用いる方式もある。
【００１４】
（作用）
高濃度酸素供給装置(20)が生成した高濃度の酸素は、ノズル(13a)を介して酸素吹き出し口(13)から閉塞空間(10)に供給される。  ノズル調整機構が開閉具合を調整することによって、酸素吹き出し口(13)から閉塞空間(10)へ高濃度の酸素が吹き出す際の音量を調整することができる。
閉塞空間(10)にいるユーザは、酸素吹き出し口(13)から高濃度の酸素が吹き出す音によって、高濃度の酸素が供給されていることを認識（実感）することができる。
【００１５】
（第一の発明のバリエーション１）
第一の発明は、以下のようなバリエーションを提供することもできる。
すなわち、  前記の酸素吹き出し口(13)は、前記の閉塞空間(10)内に設置した水槽内(16)に設置し、  その水槽(16)内には、前記の酸素吹き出し口(13)が満たされるように液体を入れるのである。
「液体」としては、水が一般的であるが、吹き出される高濃度の酸素と反応を起こしたりしなければ、他の液体でもよいが、視覚認識させるため、透明であることが望ましい。
【００１６】
（作用）
酸素吹き出し口(13)は、水槽(16)内の液体に満たされた中にあるので、高濃度酸素を吹き出すと、高濃度酸素の気泡がその液体を通って閉塞空間(10)内の空気に混じることとなる。
酸素吹き出し口(13)を出た高濃度酸素は、水槽(16)に満たされた液体の中で気泡になる際に小さな音が出る。  また、水槽(16)に満たされた液体の液面にて高濃度酸素の気泡が破裂する際にも、小さな音が出る。  閉塞空間(10)にいるユーザは、これらの音を介して、高濃度の酸素が供給されていることを認識（実感）することができる。
水槽(16)が透明な容器であれば、閉塞空間(10)にいるユーザは、酸素吹き出し口(13)から発生して液面で破裂する気泡を見ることができる。  すなわち、視覚によっても、高濃度の酸素が供給されていることを認識（実感）することができる。
【００１７】
（第一の発明のバリエーション２）
第一の発明は、以下のようなバリエーションを提供することもできる。
すなわち、  前記のノズル調整機構は、遠隔操作によって開閉具合が調整可能であるように形成することもできる。
【００１８】
（作用）
遠隔操作によって、ノズル調整機構の開閉具合が調整可能である。そのため、閉塞空間(10)にいるユーザに対して、高濃度の酸素が供給されていることを意識してもらうための演出効果を、聴覚や視覚に訴えることができる。
また、遠隔操作によってノズル調整が可能であるため、ユーザからの要望や時刻に応じて、酸素吹き出し口(13)から発生する音や気泡の大きさを変更することができる。
【００１９】
（第一の発明のバリエーション３）
第一の発明は、以下のようなバリエーションを提供することもできる。
すなわち、前記の高濃度酸素供給装置から物理的に離れた場所に設置されるサーバと、  そのサーバおよび前記の高濃度酸素供給装置にてデータの送受信が可能な通信インフラと、を備え、  前記のサーバには、前記の高濃度酸素供給装置の設備に関するデータを格納したクライアント設備データベースと、  前記の高濃度酸素供給装置から送信されてくるデータを受信する運転データ受信手段と、  受信したそのデータおよびクライアント設備データベースに格納されたデータを用いて当該高濃度酸素供給装置の運転が適正か否かを判断する運転適正判断手段と、を備える。
そして、その運転適正判断手段が適正でないと判断した場合には、運転を修正するための運転修正データを当該高濃度酸素供給装置に送信することとした。
【００２０】
（作用）
高濃度酸素供給装置の運転データをサーバに送信し、それが適正か否かを、サーバの運転適正判断手段が判断する。
適正でないと判断した場合には、運転を修正するための運転修正データを当該高濃度酸素供給装置にサーバから送信する。それによって、適正な運転状況とすることができる。  以上により、高濃度酸素供給装置の遠隔での制御が可能となる。
【００２１】
（第一の発明のバリエーション４）
第一の発明は、以下のようなバリエーションを提供することもできる。
すなわち、  前記の高濃度酸素供給装置は、閉塞空間に提供した高濃度酸素の積算流量および予め入力された酸素単価を用いて運転換算値を算出する換算値演算手段と、  その換算値演算手段が算出した運転換算値を出力表示する積算流量値表示手段と、を備えてもよい。
【００２２】
（用語説明）
「酸素単価」とは、本願に係る高濃度酸素供給装置ではなく、ボンベなどで購入する単価である。
「運転換算値」は、ボンベで購入していたら必要となる金額となる。
【００２３】
（作用）
積算流量値表示手段に運転換算値が出力されれば、酸素単価にて購入した場合に掛かる費用の概算が掴める。  そのため、この酸素濃度制御システムを導入した効果を、金銭的に実感できる。
【００２４】
（第一の発明のバリエーション５）
第一の発明は、以下のようなバリエーションを提供することもできる。
すなわち、  前記の閉塞空間(10)を照明するための照明装置（たとえば室内照明18）を備えるとともに、  その照明装置(18)は、前記の高濃度酸素供給装置(20)の運転と連動させる。
【００２５】
（用語説明）
「照明装置」とは、天井から室内を照らす室内照明のみならず、壁際や水槽内などに設置した間接照明（図10における照明装置17）や、天井を夜空に見立てて使用する簡易プラネタリウムなども含まれる。
【発明の効果】
【００２６】
本発明によれば、ユーザが高濃度の酸素を実感しやすく、高濃度酸素供給装置の操作も遠隔で行える酸素濃度制御システムを提供することができた。
【図面の簡単な説明】
【００２７】
【図１】高濃度の酸素が充満する部屋の模型図である。
【図２】第一の実施形態におけるハードウェア構成を示すブロック図である。
【図３】ある総合リラクゼーション設備におけるレイアウト図である。
【図４】高濃度酸素部屋における壁面の一部を示す正面図（Ａ）および断面図（Ｂ）である。
【図５】高濃度酸素を供給するための装置と操作系を示す模型図である。
【図６】操作用タッチパネルのメイン画面を示す図である。
【図７】表示切替ボタンにおける「詳細表示」を選択した場合に現れる画面を示す図である。
【図８】ユニット詳細ボタンを選択した場合に現れる画面を示す図である。
【図９】表示切替ボタンにおける「積算流量」を選択した場合に現れる画面を示す図である。
【図１０】高濃度酸素部屋における高濃度酸素の吹き出し口付近に関する断面図である。
【発明を実施するための形態】
【００２８】
以下、図面に示した本発明の実施形態に基づき、本発明をさらに詳細に説明する。ここで使用する図面は、図１から図１０である。
【００２９】
（図１）
図１は、高濃度の酸素が充満する部屋を模型的に示したものである。
閉塞空間となっている高濃度酸素部屋１０に対して、ユーザは出入り口１１から出入りする。室内には、換気口１２や室内照明１８が設けられている。
図示は省略するが、この高濃度酸素部屋１０は、ユーザがリラックスできるようなベッドや椅子を用意しているような比較的広めのリラクゼーションルームの場合、就寝してしまうことも可能なカプセル形ベッドの場合などがある。
【００３０】
高濃度酸素部屋１０の外側には、高濃度酸素供給装置２０が設置されており、部屋の気圧よりもやや高い気圧にて、高濃度の酸素を高濃度酸素部屋１０に送り込む。送り込む酸素吹き出し口１３については、図４とともに後述する。
高濃度酸素供給装置２０を高濃度酸素部屋１０の外側に設置する理由は、高濃度酸素供給装置２０が運転時に音を発し、発熱もするためである。
【００３１】
（図２）
図２は、図1に示したような高濃度酸素部屋１０を設置した者が、その高濃度酸素部屋１０を快適な状態に保つための制御やメンテナンスを、外部の者（専門家）に依頼した場合のハードウェア構成を示す。
「クライアント」と示しているのが、高濃度酸素部屋１０を設置した者に係るコンピュータであり、「サーバ」と示しているのが、制御やメンテナンスを依頼された専門家に係るコンピュータである。
【００３２】
高濃度酸素部屋１０における酸素濃度を計測した計測データ、高濃度酸素供給装置２０の運転データは、クライアントの運転データ送信手段からサーバに送信される。  この送信間隔は頻度が高いほど、安定した運転になる。たとえば、２０秒ごと、１分ごとというような間隔である。
高濃度酸素部屋１０を利用するユーザが入力するユーザ入力データを含む場合もある。  ユーザ入力データとは、たとえば気温を上下させたい、といったユーザの希望を直接入力できるような場合に、その入力データである。
【００３３】
クライアントの運転データ送信手段からサーバに送信された運転データ、計測データ、ユーザ入力データは、サーバにおける運転データ受信手段が受信する。
サーバには、高濃度酸素部屋１０を設置した者ごとに、その高濃度酸素部屋１０の大きさや種類、高濃度酸素供給装置２０の性能などといった基礎データを蓄積しているクライアント設備データベースを備えている。
受信した各データは、このクライアント設備データベースに蓄積されたクライアント設備データと照合し、運転状態が適正かどうかを演算する。その演算を行うのが運転適正判断手段である。
【００３４】
運転状態が適正ではない、と運転適正判断手段が判断した場合には、高濃度酸素供給装置２０における運転制御手段に対して、運転修正データを送信する。
なお、運転修正データは、クライアント設備データベースにも送信し、蓄積することとしても良い。
【００３５】
（図３）
図３には、ある総合リラクゼーション設備におけるレイアウト図を示している。
数人がくつろげる男女別のリラクゼーション室１０を備える他、カプセルホテルとして宿泊するタイプのカプセルルームも高濃度酸素部屋となっている。  なお、カプセルルームは、数十を備えているが、その数十の一つ一つに対して個別に配管を設置し、高濃度酸素を送り込むようにしている。
【００３６】
（図４）
図４は、高濃度酸素部屋における壁面に設置された酸素吹き出し口１３および酸素濃度パネル１４などを示している。
酸素吹き出し口１３は、高濃度酸素部屋１０における壁面１０ａから突出しないように埋め込み固定されている。  酸素吹き出し口１３は、この高濃度酸素部屋１０の外に設置された高濃度酸素供給装置２０から酸素供給パイプ１３ｃを介して、接続されている。
酸素吹き出し口１３の最も壁面１０ａ側には、ゴミなどの侵入を防ぐためのフィルタ１３ｄを備え、そのフィルタ１３ｄと酸素供給パイプ１３ｃとの間には、ノズル１３ａおよび絞り部１３ｂとがある。
【００３７】
ノズル１３ａは、酸素供給パイプ１３ｃおよび絞り部１３ｂを通ってきた高濃度酸素が室内に吹き出される際の吹き出し音の発生源となっている。この吹き出し音によって、ユーザは、高濃度の酸素の存在を意識することができる。
この音源たるノズル１３ａの開閉具合によって、高濃度酸素が室内に吹き出される際の吹き出し音の大小を調整できる。  ノズルの開閉具合は、ノズル調整機構が機械的に行えるが、詳細な機構は図示を省略する。
そのノズル調整機構は、クライアントコンピュータからの制御信号によって、ノズルの開閉具合を変更できる。  なお、ユーザが操作することはできないようにしているのは、ユーザの操作による故障などのトラブルを回避するためである。
【００３８】
なお、吹き出し音を小さくして欲しい、といったリクエストを受け付けられるように、タッチボタンなどを用意しておくこととしても良い。  その場合、そのリクエストは、ユーザ入力データとしてクライアントの運転データ送信手段からサーバに送信される。
また、昼間は吹き出し音を大きめとし、夜間や深夜には吹き出し音を小さめとする、といった自動運転とすることも可能である。
【００３９】
酸素吹き出し口１３の近傍（この図示例においては、酸素吹き出し口１３の直上）には、この高濃度酸素部屋１０における現在の酸素濃度を示す酸素濃度パネル１４が設置されている。
酸素濃度の測定は、酸素濃度パネル１４の左下に設けられた酸素濃度センサ１５によって、常時計測されている。
この酸素濃度センサ１５は、前述したように、運転データとしてクライアントの運転データ送信手段からサーバに送信される。
【００４０】
（図５）
図５には、高濃度酸素供給装置２０の主要部を示している。
前述してきた実施形態では、クライアントが全く運転の管理を行わなくて済む例として説明したが、全ての運転データやユーザ入力データをサーバ経由でなければ調整できない訳ではない。  クライアントにおける運転管理も行えるようにしている。
たとえば、図５に示す高濃度酸素供給装置２０には、操作用タッチパネル３０が用意されており、装置の運転状況、製品ガスの条件設定、異常個所・要点検個所を確認できる。
【００４１】
操作用タッチパネル３０の上方には、警報ブザー２５が設けてあり、運転中における異常発生があった場合には、鳴り響く。
また、操作用タッチパネル３０の下方には、運転／停止ボタン２１が設けてあり、運転中はランプが点灯する。
更に、運転／停止ボタン２１の下方には、非常停止ボタン２２が設けられている。
【００４２】
操作用タッチパネル３０などが設けられている前面と反対側である裏面からは、この高濃度酸素供給装置２０に電源を供給するケーブル２４、この高濃度酸素供給装置２０が生成した高濃度の酸素を高濃度酸素部屋１０に送り出すガス管２３などが設けられている。
また、図示は省略するが、この高濃度酸素供給装置２０が生成する前の空気を取り込む吸い込み口、運転中に発生した熱や酸素と分離された窒素を逃がすための排気ファンなども設けられている。
【００４３】
（図６）
図６には、操作用タッチパネル３０がメイン画面となった場合を示している。
上左側には、時刻表示３１がある。
その時刻表示３１の下には、モード切替タブ３２がある。タブは、「ローカル」、「リモート」、「タイマー」の３種類である。いずれかを選択すると、選択した他部が点灯する。  「ローカル」とは、サーバによる制御ではなく、この操作用タッチパネル３０によってこの高濃度酸素供給装置２０を制御するモードである。  「リモート」とは、この操作用タッチパネル３０ではなく、サーバによってこの高濃度酸素供給装置２０を制御するモードである。  「タイマー」とは、運転開始や運転停止をタイマーセットして制御するモードである。
【００４４】
モード切替タブ３２の下には、各種の測定値が表示されるようになっている。  各種の表示とは、供給酸素濃度、原料空気圧力、酸素吐出圧力、酸素吐出流量、酸素吐出流量出力、などである。
【００４５】
このメイン画面の最下部には、設定ボタン３３と、四種類の表示切替ボタン３４と、ブザー停止ボタンとが並んで配置されている。
設定ボタン３３とは、各種の設定を行うための画面に切り替えるためのボタンである。
表示切替ボタン３４とは、表示させたい出力画面に切り替えるためのボタンであり、  「フロー表示」、「詳細表示」、「グラフ表示」、「積算流量」という四種類がある。
【００４６】
（図７）
図７は、前記の表示切替ボタン３４における「詳細表示」をタッチした場合に現れる画面である。  この高濃度酸素供給装置２０が、どのような構成によって成り立っていて、どのような運転状況にあるのかを、概略で示している。
右下に設けられたバックボタン３６にタッチすると、図６に示すメイン画面に戻る。
左下に設けられたユニット詳細ボタン３５をタッチすると、図８に示す画面となる。
【００４７】
（図８）
図８は、図７に示したものよりも、更に詳細な構成を示したものである。右上に設けられたバックボタン３６にタッチすると、図７に示す画面に戻る。
【００４８】
（図９）
図９には、「積算流量値」、「酸素単価」、「運転換算値」が表示される。
すなわち、概念的には、高濃度酸素供給装置２０において、高濃度酸素部屋１０に提供した高濃度酸素の積算流量および予め入力された酸素単価を用いて運転換算値を算出する換算値演算手段と、  その換算値演算手段が算出した運転換算値を出力表示する積算流量値表示手段（図９に示す画面）と、を備えていることとなる。
ここにいう「酸素単価」とは、本願に係る高濃度酸素供給装置ではなく、ボンベなどで購入する単価である。すなわち、「運転換算値」は、ボンベで購入していたら必要となる金額となる。
【００４９】
積算流量値表示手段に運転換算値が出力されれば、酸素単価にて購入した場合に掛かる費用の概算が掴める。  そのため、この酸素濃度制御システムを導入した効果を、金銭的に実感できることとなる。
【００５０】
（図１０）
図１０は、図４において壁面に設けていた酸素吹き出し口１３を、前記の高濃度酸素部屋１０内に設置した水槽１６内に設置したものである。
その水槽１６内には、前記の酸素吹き出し口１３が満たされるように水を入れている。  酸素吹き出し口１３は、図示を省略した高濃度酸素供給装置に連通して高濃度酸素が供給されてくる酸素供給パイプ１３ｃと、その酸素供給パイプ１３ｃの先端に固定されたノズル１３ａとを備える。
酸素吹き出し口１３から高濃度酸素が吹き出すと、水槽の液体内で気泡となり、水面で破裂する。これが繰り返されるので、高濃度酸素部屋１０を利用するユーザに対して、視覚と聴覚を通じて、高濃度酸素の存在を訴えることができる。
【００５１】
水槽１６の中の水に、香料を混入しておくことによって、水面で破裂する高濃度酸素の気泡が香料を蒸発させる、といった工夫をすれば、ユーザの嗅覚にも高濃度酸素の存在を訴えることができる。
このノズル１３ａは、ノズル調整機構によって、開閉具合が調整可能である。更に、そのノズル調整機構は、クライアントコンピュータによっても操作できるし、クライアントコンピュータがサーバに接続されていれば、サーバからも操作できる。
【００５２】
水槽１６の底には、防水タイプの照明装置１７を沈めてある。  室内の照明を落としている場合には、この照明装置１７が間接照明になり、酸素吹き出し口１３から発生する高濃度酸素を、視覚的に強調することができる。
この照明装置１７には、明るさを調整するための照明調整機構が備えられている。更に、その照明調整機構は、クライアントコンピュータによっても操作できるし、クライアントコンピュータがサーバに接続されていれば、サーバからも操作できる。
【産業上の利用可能性】
【００５３】
本願発明は、高濃度酸素供給装置の製造業、高濃度酸素供給装置を用いた高濃度酸素部屋を提供するサービス業、そのサービス業の運転制御を代行するサービス業、高濃度酸素供給装置や高濃度酸素部屋の制御プログラムを作成するソフトウェア産業などにおいて、利用可能性を有する。
【符号の説明】
【００５４】
１０    高濃度酸素部屋              １０ａ  壁面
１１    出入り口                    １２    換気口
１３    酸素吹き出し口              １３ａ  ノズル
１３ｂ  絞り部                      １３ｃ  酸素供給パイプ
１３ｄ  フィルタ
１４    酸素濃度パネル              １５    酸素濃度センサ
１６    水槽                        １７    照明装置
１８    室内照明
２０    高濃度酸素供給装置          ２１    運転／停止ボタン
２２    非常停止ボタン              ２３    ガス管
２４    ケーブル                    ２５    警報ブザー
３０    操作用タッチパネル          ３１    時刻表示
３２    モード切替タブ              ３３    設定ボタン
３４    表示切替ボタン              ３５    ユニット詳細ボタン
３６    バックボタン
【図１】
2012095773.tif 000003
【図２】
2012095773.tif 000004
【図３】
2012095773.tif 000005
【図４】
2012095773.tif 000006
【図５】
2012095773.tif 000007
【図６】
2012095773.tif 000008
【図７】
2012095773.tif 000009
【図８】
2012095773.tif 000010
【図９】
2012095773.tif 000011
【図１０】
2012095773.tif 000012